(57)【要約】    【課題】  照明光路の最適化及びボタン操作部の良好な感触を達成することができる照光式操作ボタン機構及び撮像装置を提供することにある。    【解決手段】  デジタルカメラ１１は、背面下部に照光式操作ボタン１０を有する。照光式操作ボタン１０は、一端が固定面２又はケーシング３に固定され、他端に押下ボタン状照光部５を備えるプラスチック等の弾性部材１０ａと、照光部５の下方において固定面２に設けられた光源４及びタクトスイッチ６と、弾性部材のほぼ中央において固定面２側に設けられた脚部７とを備える。弾性部材１０ａの他端先端下面には、ボス８が形成されており、照光部５の押下時にボス８がタクトスイッチ６に接触する。光源４は、ＬＥＤ等から成り、十分な光量を確保するために照光部５中心付近に配置し、それに伴って、タクトスイッチ６は、光源４の外側に配置されている。【選択図】      図２
2006049087.tif 000002
【特許請求の範囲】
【請求項１】
一端方の側が装置本体に固定され、他方の側に押下ボタン状照光部を備える弾性部材と、前記照光部の下方において前記装置本体に設けられた光源及びスイッチと、前記部材の前記装置本体側に設けられた脚部とを備え、前記弾性部材の前記他方の側は、前記脚部を支点にして前記照光部が押される方向に移動することを特徴とする照光式操作ボタン機構。
【請求項２】
前記光源が２つ以上設けられていることを特徴とする請求項１記載の照光式操作ボタン機構。
【請求項３】
前記光源が前期弾性部材の縦方向に配列されていることを特徴とする請求項２記載の照光式操作ボタン機構。
【請求項４】
前記光源が前期弾性部材の横方向に配列されていることを特徴とする請求項２記載の照光式操作ボタン機構。
【請求項５】
前記脚部の底面がカマボコ状であることを特徴とする請求項１乃至４のいずれか１項に記載の照光式操作ボタン機構。
【請求項６】
前記脚部の底面が平面状であることを特徴とする請求項１乃至４のいずれか１項に記載の照光式操作ボタン機構。
【請求項７】
前記脚部の底面が球状であることを特徴とする請求項１乃至４のいずれか１項に記載の照光式操作ボタン機構。
【請求項８】
前記脚部の底面が前記装置の本体に接触していることを特徴とする請求項１乃至７のいずれか１項に記載の照光式操作ボタン機構。
【請求項９】
前記脚部の底面が前記装置の本体に接触していないことを特徴とする請求項１乃至７のいずれか１項に記載の照光式操作ボタン機構。
【請求項１０】
請求項1に記載の照光式操作ボタン機構と、
被写体像を撮像する撮像手段と、
前記撮像手段に光を結像するレンズと、
前記撮像手段からの信号を処理する信号処理回路と、
操作者によって、前記押下ボタン状照光部が押された場合に、プリンタにプリント開始命令を出力するように制御する制御手段と、
を有する撮像装置。
【発明の詳細な説明】
【技術分野】
【０００１】
本発明は、照光式操作ボタン機構及び撮像装置に関し、特に、電子機器における照光式操作ボタン機構及び撮像装置に関する。
【背景技術】
【０００２】
従来の照光式操作ボタンでは、ボタン操作面を照光するためにＬＥＤ等の光源配置において、照光を優先するか、ボタンクリック感を優先するかの選択が必要であった。一般的に、スイッチをボタン押下部中心から離れた場所に配置した場合、スイッチを押下する部材もボタン押下部中心から離れてしまうため、ボタン押下部とスイッチ押下部が一致せずたわみ感が生じ、良好なボタンクリック感が得られない。
【０００３】
そのため、このような照光式操作ボタンを設計する場合において、ボタン感触を優先する場合は、ボタン押下部中心付近にスイッチを配置することで良好なボタンクリック感が得られるが、中心部にスイッチを配置するために光源を外側に配置することになり、最適な照明光路が得られない。
【０００４】
反対に、照光を優先させる場合は、光源をボタン押下部の中心付近に配置することにより最適な照明光路が得られるが、ボタン押下部中心に光源を配置するためにスイッチを外側に置くことになり、良好なボタンクリック感が得られない。
【０００５】
前者の例としては、光源をボタン押下部中心の外側に配置し、ボタン感触を良好に保ちつつ、導光部材を用いて光源からの光路を屈折させ、最適な照明光路を得るものがある（例えば、特許文献１参照）。
【特許文献１】特開２００３−１００１６６号公報
【発明の開示】
【発明が解決しようとする課題】
【０００６】
しかしながら、上記のような照光式操作ボタンにおいては、必ずしも照明光路の最適化及びボタン操作部の良好な感触を達成することができない。
【０００７】
本発明の目的は、照明光路の最適化及びボタン操作部の良好な感触を達成することができる照光式操作ボタン機構及び撮像装置を提供することにある。  
【課題を解決するための手段】
【０００８】
上記の目的を達成するために、請求項１記載の照光式操作ボタン機構は、一端方の側が装置本体に固定され、他方の側に押下ボタン状照光部を備える弾性部材と、前記照光部の下方において前記装置本体に設けられた光源及びスイッチと、前記部材の前記装置本体側に設けられた脚部とを備え、前記弾性部材の前記他方の側は、前記脚部を支点にして前記照光部が押される方向に移動することを特徴とする。
【０００９】
請求項２記載の照光式操作ボタン機構は、請求項１記載の照光式操作ボタン機構において、前記光源が２つ以上設けられていることを特徴とする。
【００１０】
請求項３記載の照光式操作ボタン機構は、請求項２記載の照光式操作ボタン機構において、前記光源が前期弾性部材の縦方向に配列されていることを特徴とする。
【００１１】
請求項４記載の照光式操作ボタン機構は、請求項２記載の照光式操作ボタン機構において、前記光源が前期弾性部材の横方向に配列されていることを特徴とする。
【００１２】
請求項５記載の照光式操作ボタン機構は、請求項１乃至４のいずれか１項に記載の照光式操作ボタン機構において、前記脚部の底面がカマボコ形状であることを特徴とする。
【００１３】
請求項６記載の照光式操作ボタン機構は、請求項１乃至４のいずれか１項に記載の照光式操作ボタン機構において、前記脚部の底面が平面状であることを特徴とする。
【００１４】
請求項７記載の照光式操作ボタン機構は、請求項１乃至４のいずれか１項に記載の照光式操作ボタン機構において、前記脚部の底面が球状であることを特徴とする。
【００１５】
請求項８記載の照光式操作ボタン機構は、請求項１乃至７のいずれか１項に記載の照光式操作ボタン機構において、前記脚部の底面が前記装置の本体に接触していることを特徴とする。
【００１６】
請求項９記載の照光式操作ボタン機構は、請求項１乃至７のいずれか１項に記載の照光式操作ボタン機構において、前記脚部の底面が前記装置の本体に接触していないことを特徴とする。
【００１７】
請求項１０記載の撮像装置は、請求項1に記載の照光式操作ボタン機構と、被写体像を撮像する撮像手段と、前記撮像手段に光を結像するレンズと、前記撮像手段からの信号を処理する信号処理回路と、操作者によって、前記押下ボタン状照光部が押された場合に、プリンタにプリント開始命令を出力するように制御する制御手段と、を有することを特徴とする。
【発明の効果】
【００１８】
請求項１記載の照光式操作ボタン機構によれば、弾性部材は、一方の側が装置本体に固定され、他方の側端に押下ボタン状照光部を備えると共に、装置本体側に脚部を備え、照光部の下方に光源及びスイッチが設けられているので、照明光路の最適化及びボタン操作部の良好な感触を達成することができる。
【発明を実施するための最良の形態】
【００１９】
以下、本発明の実施の形態を図面を参照しながら詳述する。
【００２０】
図１は、本発明の実施の形態に係る照光式操作ボタン機構を備えるデジタルカメラの背面側から見た斜視図である。
【００２１】
図１のデジタルカメラ１１（撮像装置）は、背面下部に照光式操作ボタン１０を有する。この照光式操作ボタン1０は、プリント開始指令ボタンの役割をも有し、デジタルカメラ１１を直接プリンタと接続した時に照光して、ユーザーにその旨を知らせる。
【００２２】
デジタルカメラ１１は、被写体像を撮像するＣＣＤ等の撮像素子、撮像素子に光を結像するレンズ、撮像素子からの信号を処理する信号処理回路、照光式操作ボタン1０が押されたことにより、プリンタに対してプリントを開始するように指令を出す制御部等を有している。
【００２３】
図２は、図１における照光式操作ボタンの断面図である。
【００２４】
図２において、照光式操作ボタン１０は、一方の側が固定面２又はケーシング３（装置本体）に固定され、他方の側に押下ボタン状照光部５（押下ボタン操作部）を備えるプラスチック等の弾性部材１０ａと、照光部５の下方において固定面２に設けられた光源及びスイッチと、弾性部材のほぼ中央において固定面２側に設けられた脚部７とを備える。
【００２５】
弾性部材１０ａの他端先端下面には、ボス８が形成されており、照光部５の押下時にボス８がタクトスイッチ６に接触する。固定面２は、板金や樹脂等の面、又はそのような部材の上に固定されたフレキシブル基板等の面のことである。光源４は、ＬＥＤ等から成り、十分な光量を確保するために照光部５中心付近に配置し、それに伴って、タクトスイッチ６は、光源４の外側に配置されている。光源４は２つ以上配置してもよい。そして、タクトスイッチが、押下ボタン状照光部５によって押されることにより、光源が点灯する。
【００２６】
２つの光源は、図３に示すように、弾性部材１０ａの縦方向に配置してもよく、図４に示すように、弾性部材１０ａの横方向に配置してもよい。さらには、光源４の配置は、ボタン操作面を照光するために最適であれば斜めでもよく、その傾きはどの角度でもよい。光源４の数が増えた場合でも、お互いの光源４の角度や配置はいずれでもよい。
【００２７】
照光部５は、図５に示すように、照光部５に別の透光部材９を用いてもよく、また、照光５全体を透光部材で作成したものに塗装をかけ、照光部５のみ塗装を剥がしたものでもよく、更には、塗装をかけずに、透光部材のままでもよい。
【００２８】
この弾性部材１０ａに脚７を設けることで、図２に示すa方向への押下に対し脚７部付近でのたわみ感を解消し、回転軸となる支点となってb方向へ作用し、ボタンクリック感が損なわれることを防止する。脚７の底部の形状は、回転軸となる支点になる形状であればよいため、図５に示すようなカマボコ状以外にも、図６に示す脚７aのように平面状でもよく、また、図７に示す脚７bのように、球状でもよい。
【００２９】
脚７と固定面２の間隔は、図２のように常に脚７が固定面２に対して接しているか、又は、図８におけるCのように、通常は接していない状態で、照光部５を押下してボス８がタクトスイッチ６に接触した時に脚７が固定面２に接触するようにしてもよい。
【図面の簡単な説明】
【００３０】
【図１】本発明の実施の形態に係る照光式操作ボタン機構を備えるデジタルカメラの背面側から見た斜視図である。
【図２】図１における照光式操作ボタンの構成を示す断面図である。
【図３】図２の照光式操作ボタンの第１の変形例の裏側から見た斜視図である。
【図４】図２の照光式操作ボタンの第２の変形例の裏側から見た斜視図である。
【図５】図２の照光式操作ボタンの第３の変形例の裏側から見た斜視図である。
【図６】図２の照光式操作ボタンの第４の変形例の裏側から見た斜視図である。
【図７】図２の照光式操作ボタンの第５の変形例の裏側から見た斜視図である。
【図８】図２の照光式操作ボタンの第６の変形例の裏側から見た斜視図である。
【符号の説明】
【００３１】
１  ボタン取付け部
２  固定面
３  ケーシング
４  光源
５  押下ボタン状照光部
６  タクトスイッチ
７  脚
８  ボス
９  透光部材
１０  照光式操作ボタン
１０ａ  弾性部材
１１  デジタルカメラ
【図１】
2006049087.tif 000003
【図２】
2006049087.tif 000004
【図３】
2006049087.tif 000005
【図４】
2006049087.tif 000006
【図５】
2006049087.tif 000007
【図６】
2006049087.tif 000008
【図７】
2006049087.tif 000009
【図８】
2006049087.tif 000010